(57)【要約】【課題】簡単な手法で迅速且つ適確に非常事態で乗りかご内に閉じ込められている利用者に対して保守管理業者側での対応状況を示す非常事態対応情報を伝達することができるエレベータ用非常事態対応情報提供システムを提供する。【解決手段】このシステムの監視装置２０では、制御装置２２において、ネットワークインターフェース２１を介してエレベータ制御盤１から乗りかご５の運転状況での非常事態発生時に利用者１１の閉じ込めを認識すると、インターフェース２１を介して制御盤１経由でかご５内の無線ＬＡＮアクセスポイント１０を利用してかご５内の掲示部８に無線ＬＡＮ機能をオンにする設定を促す掲示を行わせた後、表示指令部２３に指示してコンテンツ選択部２６で選択したコンテンツに係る記憶装置２４の表示コンテンツテーブル２５にテーブル形式で格納された非常事態対応情報を利用者１１が携帯して使用する携帯通信機器１２の表示部に表示させる。【選択図】図１
2016055981.tif 000002
【特許請求の範囲】
【請求項１】
建物に設備されたエレベータの昇降路内で各階床間を昇降する乗りかごの運転を制御するエレベータ制御装置と、前記エレベータ制御装置と接続されて前記昇降路内に設置されると共に、前記乗りかごの異常を監視して異常発生時に通信手段を介して遠隔地に設置される監視センタへ通報を行う監視装置と、を備えたエレベータ用非常事態対応情報提供システムにおいて、
前記乗りかご近傍又は前記昇降路近傍の所定箇所には、利用者が携帯して使用する携帯通信機器との間で無線ＬＡＮ通信を行わせるための無線ＬＡＮアクセスポイントが備えられ、
前記乗りかご内には、非常事態発生時に前記携帯通信機器の無線ＬＡＮ機能をオンにする設定を促す掲示を行う掲示部が備えられ、
前記監視装置は、前記エレベータ制御装置及び前記通信手段と接続されたネットワークインターフェースと、非常事態発生時における保守管理業者側での対応状況を示す非常事態対応情報をテーブル形式で格納した表示コンテンツテーブルを有する記憶装置と、非常事態発生時に前記乗りかご内に利用者が閉じ込められた場合に前記携帯通信機器の表示部に表示するコンテンツを選択するコンテンツ選択部と、前記コンテンツ選択部で選択された前記コンテンツに係る前記非常事態対応情報を前記携帯通信機器の表示部に表示するように指令する表示指令部と、前記ネットワークインターフェースを介して前記エレベータ制御装置から前記乗りかごの運転状況における非常事態発生時に利用者の閉じ込めを認識すると、当該ネットワークインターフェースを介して当該エレベータ制御装置を経由して前記無線ＬＡＮアクセスポイントを利用して前記掲示部に前記無線ＬＡＮ機能をオンにする掲示の表示を行わせた後、前記表示指令部に指示して前記コンテンツ選択部で選択した前記コンテンツに係る前記記憶装置に格納された前記非常事態対応情報を前記携帯通信機器の表示部に表示させる制御装置と、を備えたことを特徴とするエレベータ用非常事態対応情報提供システム。
【請求項２】
建物に設備されたエレベータの昇降路内で各階床間を昇降する乗りかごの運転を制御するエレベータ制御装置と、前記エレベータ制御装置と接続されて前記昇降路内に設置されると共に、前記乗りかごの異常を監視して異常発生時に通信手段を介して遠隔地に設置される監視センタへ通報を行う監視装置と、を備えたエレベータ用非常事態対応情報提供システムにおいて、
前記監視センタは、非常事態発生時における保守管理業者側での対応状況を示す非常事態対応情報をテーブル形式で格納した表示コンテンツテーブルを有する記憶装置と、非常事態発生時に前記乗りかご内に利用者が閉じ込められた場合に当該利用者が携帯して使用する携帯通信機器の表示部に表示するコンテンツを選択するコンテンツ選択部と、前記コンテンツ選択部で選択された前記コンテンツに係る前記非常事態対応情報を前記携帯通信機器の表示部に表示するように指令する表示指令部と、を備え、
前記乗りかご近傍又は前記昇降路近傍の所定箇所には、前記携帯通信機器との間で無線ＬＡＮ通信を行わせるための無線ＬＡＮアクセスポイントが備えられ、
前記乗りかご内には、非常事態発生時に前記携帯通信機器の無線ＬＡＮ機能をオンにする設定を促す掲示を行う掲示部が備えられ、
前記監視装置は、前記エレベータ制御装置及び前記通信手段と接続されたネットワークインターフェースと、前記ネットワークインターフェースを介して前記エレベータ制御装置から前記乗りかごの運転状況における非常事態発生時に利用者の閉じ込めを認識すると、当該ネットワークインターフェースを介して当該エレベータ制御装置を経由して前記無線ＬＡＮアクセスポイントを利用して前記掲示部に前記無線ＬＡＮ機能をオンにする掲示の表示を行わせた後、前記通信手段を介して受信した前記表示指令部により指示されて前記コンテンツ選択部で選択された前記コンテンツに係る前記記憶装置に格納された前記非常事態対応情報を前記携帯通信機器の表示部に表示させる制御装置と、を備えたことを特徴とするエレベータ用非常事態対応情報提供システム。
【請求項３】
請求項１又は２記載のエレベータ用非常事態対応情報提供システムにおいて、
前記非常事態対応情報には、保守管理業者側での対応状況が変更した旨のメッセージを示す変更情報が含まれており、
前記制御装置は、前記通信手段からの信号入力により表示変更指示が有るか否かを確認した上、当該表示変更指示が有る場合には前記記憶装置の前記表示コンテンツテーブルに格納される前記変更情報を検索して前記エレベータ制御装置経由で前記無線ＬＡＮアクセスポイントに設定した後、前記携帯通信機器の表示部に対して当該変更情報を表示させることを特徴とするエレベータ用非常事態対応情報提供システム。
【発明の詳細な説明】
【技術分野】
【０００１】
本発明は、エレベータの故障や災害発生等の非常事態で乗りかごが停止状態となり、乗りかご内に利用者（乗客）が閉じ込められたときに保守管理業者側での対応状況を示す非常事態対応情報を乗りかご内の利用者に伝達するのに好適なエレベータ用非常事態対応情報提供システムに関する。
【背景技術】
【０００２】
従来、エレベータの故障発生時や地震・火災等の災害発生時の非常事態に際して、避難対象者に対してエレベータ（乗りかご）の運行情報や避難指示情報を伝達するための手法が工夫されている。
【０００３】
係る周知技術としては、災害時にエレベータが非常運転を開始した場合、エレベータの乗場へ来た避難者が持つ携帯通信機器へ適切なエレベータ運行情報や避難指示情報等を伝達することができ、エレベータを利用した避難の有効性の向上を図った「エレベータの運行オペレーションシステム」（特許文献１参照）が挙げられる。
【先行技術文献】
【特許文献】
【０００４】
【特許文献１】特開２０１２−２０８２４号公報
【発明の概要】
【発明が解決しようとする課題】
【０００５】
上述した特許文献１記載の技術は、非常事態でエレベータ（乗りかご）が停止状態となった場合、避難者へエレベータ運行情報や避難指示情報を伝えるべく、エレベータが避難モード（非常運転開始）になると、エレベータの乗場の表示装置に設けられた通信部と避難者が携帯して使用する一般用の携帯電話機等の携帯通信機器との間でアドホック通信を行い、避難者の携帯電話機に情報を提供できるようにしているが、この場合のアドホック通信による通信方式はＢｌｕｅｔｏｏｔｈ(登録商標)や無線ＬＡＮを利用することになるため、全てのスマートフォンや携帯電話機等の携帯通信機器に対応する通信機能が内蔵されている訳ではなく、携帯通信機器によっては対応できない場合もあり、携帯通信機器への対応性に乏しいという問題がある。
【０００６】
また、携帯通信機器で情報を受信するため、例えばアドホック通信を行うために無線ＬＡＮへのアクセスポイントを選択して接続するためのセキュリティ認証を経てログインする必要があり、しかも情報を閲覧するために指定されたＵＲＬにアクセスする必要がある等、設定作業が煩雑で手間が掛かり、緊急時に直ちに情報を閲覧することができないという不便さがある。更に、情報を提供、或いは受信するためのアプリケーションが必要であり、実際にエレベータの故障や災害が発生した後、情報を提供し、避難者が携帯通信機器で情報の提供を受けるまでに相当な時間がかかってしまうという問題もある。加えて、乗りかごの側板は鉄製筐体から成っており、電波の遮蔽性が高いためにエレベータの乗場にアクセスポイントを設置した条件下では、乗りかご内に電波が届かず、乗りかご内に閉じ込められている利用者へ情報を提供することが事実上、困難であるという問題がある。
【０００７】
本発明は、このような問題点を解決すべくなされたもので、その技術的課題は、通信機能の対応性を問わず、簡単な手法で迅速且つ適確に非常事態で乗りかご内に閉じ込められている利用者に対して保守管理業者側での対応状況を示す非常事態対応情報を伝達することができるエレベータ用非常事態対応情報提供システムを提供することにある。
【課題を解決するための手段】
【０００８】
上記技術的課題を解決するため、本発明の基本構成の１つは、建物に設備されたエレベータの昇降路内で各階床間を昇降する乗りかごの運転を制御するエレベータ制御装置と、エレベータ制御装置と接続されて昇降路内に設置されると共に、乗りかごの異常を監視して異常発生時に通信手段を介して遠隔地に設置される監視センタへ通報を行う監視装置と、を備えたエレベータ用非常事態対応情報提供システムにおいて、乗りかご近傍又は昇降路近傍の所定箇所には、利用者が携帯して使用する携帯通信機器との間で無線ＬＡＮ通信を行わせるための無線ＬＡＮアクセスポイントが備えられ、乗りかご内には、非常事態発生時に携帯通信機器の無線ＬＡＮ機能をオンにする設定を促す掲示を行う掲示部が備えられ、監視装置は、エレベータ制御装置及び通信手段と接続されたネットワークインターフェースと、非常事態発生時における保守管理業者側での対応状況を示す非常事態対応情報をテーブル形式で格納した表示コンテンツテーブルを有する記憶装置と、非常事態発生時に乗りかご内に利用者が閉じ込められた場合に携帯通信機器の表示部に表示するコンテンツを選択するコンテンツ選択部と、コンテンツ選択部で選択されたコンテンツに係る非常事態対応情報を携帯通信機器の表示部に表示するように指令する表示指令部と、ネットワークインターフェースを介してエレベータ制御装置から乗りかごの運転状況における非常事態発生時に利用者の閉じ込めを認識すると、当該ネットワークインターフェースを介して当該エレベータ制御装置を経由して無線ＬＡＮアクセスポイントを利用して掲示部に無線ＬＡＮ機能をオンにする設定を促す掲示の表示を行わせた後、表示指令部に指示してコンテンツ選択部で選択したコンテンツに係る記憶装置に格納された非常事態対応情報を携帯通信機器の表示部に表示させる制御装置と、を備えたことを特徴とする。
【０００９】
上記技術的課題を解決するため、本発明の基本構成のもう１つは、建物に設備されたエレベータの昇降路内で各階床間を昇降する乗りかごの運転を制御するエレベータ制御装置と、エレベータ制御装置と接続されて昇降路内に設置されると共に、乗りかごの異常を監視して異常発生時に通信手段を介して遠隔地に設置される監視センタへ通報を行う監視装置と、を備えたエレベータ用非常事態対応情報提供システムにおいて、監視センタは、非常事態発生時における保守管理業者側での対応状況を示す非常事態対応情報をテーブル形式で格納した表示コンテンツテーブルを有する記憶装置と、非常事態発生時に乗りかご内に利用者が閉じ込められた場合に当該利用者が携帯して使用する携帯通信機器の表示部に表示するコンテンツを選択するコンテンツ選択部と、コンテンツ選択部で選択されたコンテンツに係る非常事態対応情報を携帯通信機器の表示部に表示するように指令する表示指令部と、を備え、乗りかご近傍又は昇降路近傍の所定箇所には、利用者が携帯して使用する携帯通信機器との間で無線ＬＡＮ通信を行わせるための無線ＬＡＮアクセスポイントが備えられ、乗りかご内には、非常事態発生時に携帯通信機器の無線ＬＡＮ機能をオンにする設定を促す掲示を行う掲示部が備えられ、監視装置は、エレベータ制御装置及び通信手段と接続されたネットワークインターフェースと、ネットワークインターフェースを介してエレベータ制御装置から乗りかごの運転状況における非常事態発生時に利用者の閉じ込めを認識すると、当該ネットワークインターフェースを介して当該エレベータ制御装置を経由して無線ＬＡＮアクセスポイントを利用して掲示部に無線ＬＡＮ機能をオンにする設定を促す掲示の表示を行わせた後、通信手段を介して受信した表示指令部により指示されてコンテンツ選択部で選択されたコンテンツに係る記憶装置に格納された非常事態対応情報を携帯通信機器の表示部に表示させる制御装置と、を備えたことを特徴とする。
【発明の効果】
【００１０】
本発明のエレベータ用非常事態対応情報提供システムによれば、上記何れかの構成により、簡単な手法で迅速且つ適確に非常事態で乗りかご内に閉じ込められている利用者に対して保守管理業者側での対応状況を示す非常事態対応情報を伝達することができるようになる。上記した以外の課題、構成及び効果は、以下の実施の形態の説明により明らかにされる。
【図面の簡単な説明】
【００１１】
【図１】本発明の実施例に係るエレベータ用非常事態対応情報提供システムの要部を示した概略構成図である。
【図２】図１に示すエレベータ用非常事態対応情報提供システムに備えられる監視装置及びエレベータ制御装置が協働しての非常事態対応情報提供に係る動作処理を示したフローチャートである。
【図３】図２での動作処理中に乗りかご内に閉じ込められた利用者が携帯して使用する携帯通信機器の表示部に表示される非常事態対応情報の無線ＬＡＮ設定画面を例示した図である。
【発明を実施するための形態】
【００１２】
以下に、本発明のエレベータ用非常事態対応情報提供システムについて、実施例を挙げ、図面を参照して詳細に説明する。
【実施例】
【００１３】
図１は、本発明の実施例に係るエレベータ用非常事態対応情報提供システムの要部を示した概略構成図である。
【００１４】
図１を参照すれば、このエレベータ用非常事態対応情報提供システムは、図示されない建物に設備されたエレベータの昇降路９内で各階床間を昇降する乗りかご５の運転を制御する図示されないエレベータ制御装置（図１中ではエレベータ制御装置に設けられるエレベータ制御盤１を示す）と、エレベータ制御装置と接続されて昇降路９内に設置されると共に、乗りかご５の異常を監視して異常発生時に通信手段２７を介して遠隔地に設置される図示されない監視センタへ通報を行う監視装置２０と、を備えて構成される。
【００１５】
このうち、エレベータ制御装置は、一般的に知られているように昇降路９外に配置された電動機２の回転駆動を制御するもので、電動機２と同期して回転する図示されない綱車に巻き掛けられた複数本のワイヤロープ４の両端に結合して昇降路９内に配置されるように乗りかご５及び釣り合い錘３が釣瓶式に取り付けられており、電動機１を正転及び逆転する制御を行うことにより、ワイヤロープ４を介して乗りかご５及び釣り合い錘３を昇降させ、乗りかご５内に乗り込んだ利用者（乗客）１１を目的とする階床へ輸送する。
【００１６】
また、乗りかご５内には、利用者１１が携帯して使用する携帯電話機、スマートフォン、携帯型パーソナルコンピュータＰＣ等の携帯通信機器１２との間でＷｉ−Ｆｉによる無線ＬＡＮ通信を行わせるための無線ＬＡＮアクセスポイント１０と、この無線ＬＡＮアクセスポイント１０でのＷｉ−Ｆｉによる無線ＬＡＮ通信によって非常事態発生時に携帯通信機器１２の無線ＬＡＮ機能をオンにする設定を促す掲示を行う掲示部８と、が備えられている。因みに、無線ＬＡＮアクセスポイント１０が乗りかご５内に設置されていると、通常時はインターネットへの接続アクセスを提供することができる。但し、無線ＬＡＮアクセスポイント１０の設置場所は、携帯通信機器１２に対して電波が届く場所であれば任意にして良いもので、例えば乗りかご５内に設置する以外、乗りかご５近傍として乗りかご５の外壁や天井に設置しても良い他、昇降路９近傍の所定箇所として乗場（ホール）付近に設置するようにしても良い。
【００１７】
更に、監視装置２０は、上述した乗りかご５の異常発生時に監視センタへ通報を行うための通信手段２７を備える以外、エレベータ制御装置及び通信手段２７と接続されたネットワークインターフェース２１と、非常事態発生時における保守管理業者側での対応状況を示す非常事態対応情報をテーブル形式で格納した表示コンテンツテーブル２５を有する記憶装置２４と、非常事態発生時に乗りかご５内に利用者１１が閉じ込められた場合に携帯通信機器１２の表示部に表示するコンテンツを選択するコンテンツ選択部２６と、コンテンツ選択部２６で選択されたコンテンツに係る非常事態対応情報を携帯通信機器１２の表示部に表示するように指令する表示指令部２３と、ネットワークインターフェース２１を介してエレベータ制御装置から乗りかご５の運転状況における非常事態発生時に利用者１１の閉じ込めを認識すると、ネットワークインターフェース２１を介してエレベータ制御装置を経由して無線ＬＡＮアクセスポイント１０を利用して掲示部８に無線ＬＡＮ機能をオンにする設定を促す掲示の表示を行わせた後、表示指令部２３に指示してコンテンツ選択部２６で選択したコンテンツに係る記憶装置２４の表示コンテンツテーブル２５に格納された非常事態対応情報を携帯通信機器１２の表示部に表示させる制御装置２２と、を備えて構成される。尚、ここでの制御装置２２は、設備機器との信号の入出力を行うネットワークインターフェース２１の入力信号の変化を検出し、予め組み込まれた所定のプログラムに従って監視装置２０の各部の動作制御を行う。
【００１８】
図２は、エレベータ用非常事態対応情報提供システムに備えられる監視装置２０及びエレベータ制御装置が協働しての非常事態対応情報提供に係る動作処理を示したフローチャートである。また、図３は、図２での動作処理中に乗りかご５内に閉じ込められた利用者１１が携帯して使用する携帯通信機器１２の表示部に表示される非常事態対応情報の無線ＬＡＮ設定画面を例示した図である。
【００１９】
図２を参照すれば、ここでの非常事態対応情報提供に係る動作処理は、まず監視装置２０の制御装置２２がエレベータ制御装置に係るネットワークインターフェース２１の入力信号の変化の検出結果に基づいてエレベータの故障（エレ故障）や災害発生時の非常事態に際して、乗りかご５での利用者１１の閉じ込めが発生しているか否かの判別をエレ故障、閉じ込め、発生か否かの判定（ステップＳ１）により行う。この判定の結果、利用者１１の閉じ込めが発生していなければ、無線ＬＡＮアクセスポイント１０でのＷｉ−Ｆｉによるビーコン電波をＯＦＦ（ステップＳ１１）にしてから動作処理を終了するが、利用者１１の閉じ込めが発生していれば、表示指令部２３に指示してコンテンツ選択部２６で選択したコンテンツに係る記憶装置２４の表示コンテンツテーブル２５に格納された非常事態対応情報として、例えば閉じ込め救出に出動中である旨のメッセージを選択し、無線ＬＡＮアクセスポイント１０の識別子（ＳＳＩＤ）にメッセージを設定（ステップＳ２）する処理を行ってからＷｉ−Ｆｉによるビーコン電波をＯＮ（ステップＳ３）にすることにより、乗りかご５内の掲示部８に無線ＬＡＮ機能をオンにする設定を促す掲示の表示を行わせた後、閉じ込められている利用者１１が携帯する携帯通信機器１２の表示部に対してＳＳＩＤ情報を表示（ステップＳ４）させる処理を行う。
【００２０】
そこで、図３に示す携帯通信機器１２の表示部に表示される非常事態対応情報の無線ＬＡＮ設定画面を参照すれば、ここではＷｉ−Ｆｉによるビーコン電波を受信することになるため、Ｗｉ−Ｆｉ設定画面Ｗ１上では携帯通信機器１２で接続する通信手段としてＷｉ−Ｆｉ電波の使用を設定できる様子を示している他、その領域内に含まれる選択部Ｗ２のＯＮを選択指定すればＷｉ−Ｆｉ電波の使用が有効な使用可能な状態となり、ＯＦＦを選択指定すれば反対にＷｉ−Ｆｉ電波の使用が無効な使用不能な状態となる設定を行うことができる様子を示している。また、非常事態発生時における保守管理業者側での対応状況を示す非常事態対応情報を設定するＳＳＩＤ表示部Ｗ３では例えば「ただいま出動中です」のメッセージを表示する他、その領域内に含まれる電波強度部Ｗ４では汎用的に様々な企業、団体、個人が発信しているＷｉ−Ｆｉ電波の発信状況を電波強度として表示する。
【００２１】
乗りかご５内の利用者１１は、携帯通信機器１２の表示部の無線ＬＡＮ設定画面において、Ｗｉ−Ｆｉ設定画面Ｗ１中の選択部Ｗ２でＯＮを選択指定すると、無線ＬＡＮアクセスポイント１０からのビーコン電波を受信し、ビーコン電波の強い順に並び替えを行い、ＳＳＩＤ情報の内容（メッセージ）を表示する。エレベータの乗りかご５内での電波環境は、昇降路９が鉄筋構造、乗りかご５の側板は鉄製筐体で電波の遮蔽性が高いため、乗りかご５内では一番電波強度の強いビーコン電波が優先されて二番以降は入り難く、一番電波強度の強いビーコン電波がＷｉ−Ｆｉ設定画面Ｗ１でのＳＳＩＤ表示部Ｗ３の一番上に表示されるため、利用者１１は携帯通信機器１２の表示部で直ちに確認することができ、不安感を払拭させることが可能になる。
【００２２】
図２の非常事態対応情報提供に係る動作処理に戻ると、携帯通信機器１２の表示部に対してＳＳＩＤ情報を表示（ステップＳ４）させる処理を行った後、監視装置２０の制御装置２２は、例えば作業員の出動中から現地到着への移行等で保守管理業者側での対応状況の変更を通信手段２７での信号入力に基づいて検知し、非常事態発生時における保守管理業者側での対応状況に変更が有るか否かの判定（ステップＳ５）を行う。この判定の結果、保守管理業者側での対応状況に変更が無ければ、この判定（ステップＳ５）の前に戻って処理を繰り返すことにより、乗りかご５内の利用者１１が携帯して使用する携帯通信機器１２の表示部へのＳＳＩＤ情報表示を継続させるが、保守管理業者側での対応状況に変更が有れば、監視装置２０の制御装置２２は、表示指令部２３に指示してコンテンツ選択部２６で選択したコンテンツに係る記憶装置２４の表示コンテンツテーブル２５に格納された非常事態対応情報の変更情報として、例えば閉じ込め救出に作業員が現地到着した旨のメッセージを選択し、無線ＬＡＮアクセスポイント１０の識別子（ＳＳＩＤ）に進捗お報せメッセージを設定（ステップＳ６）する処理を行ってからＷｉ−Ｆｉによるビーコン電波を送信（ステップＳ７）にすることにより、閉じ込められている利用者１１が携帯して使用する携帯通信機器１２の表示部に対して進捗お知らせメッセージのＳＳＩＤ情報を表示（ステップＳ８）させる処理を行う。
【００２３】
即ち、記憶装置２４の表示コンテンツテーブル２５に格納される非常事態対応情報には、保守管理業者側での対応状況が変更した旨のメッセージを示す変更情報が含まれているため、制御装置２２は機能上で通信手段２７からの信号入力により表示変更指示（監視センタ側のオペレータがコンピュータを操作して行う場合と派遣された作業員が携帯端末装置を操作して行う場合とがある）が有るか否かを確認した上、表示変更指示が有る場合には記憶装置２４の表示コンテンツテーブル２５に格納される非常事態対応情報の変更情報として、進捗を知らせる旨のメッセージを検索してエレベータ制御装置（エレベータ制御盤１）経由で無線ＬＡＮアクセスポイント１０に設定した後、携帯通信機器１２の表示部に対して変更情報を表示させることができる。因みに、非常事態対応情報やその変更情報を含む表示メッセージの文言の設定は自由に変更設定できるものであり、エレベータの運用や現地での対応状況を反映した内容にすることができる。
【００２４】
次に、保守管理業者側から派遣された作業員が現地に到着して救出作業を行い、エレベータの乗りかご５内に閉じ込められている利用者１１を救出することになるため、この後は監視装置２０の制御装置２２がエレベータ制御装置（エレベータ制御盤１）に係るネットワークインターフェース２１の入力信号の変化の検出結果に基づいてエレベータの復旧が確認されたか否かをエレ復旧か否かの判定（ステップＳ９）により行う。この判定の結果、エレベータが復旧されていなければ、先の非常事態発生時における保守管理業者側での対応状況に変更が有るか否かの判定（ステップＳ５）の前に戻ってそれ以降の処理を繰り返すことにより、次に保守管理業者側での対応状況に変更が有るまでの間、乗りかご５内の利用者１１が携帯して使用する携帯通信機器１２に対してＳＳＩＤ情報表示を継続させるようにするが、エレベータが復旧されていれば、ビーコン電波の発信をＯＦＦ（ステップＳ１０）にして停止してから動作処理を終了する。
【００２５】
上述した実施例に係るエレベータ用非常事態対応情報提供システムによれば、乗りかご５内に非常事態発生時に利用者１１が携帯して使用する携帯通信機器１２の無線ＬＡＮ機能をオン（ＯＮ）にする設定を促す掲示を行う掲示部８を設け、昇降路９近傍の所定箇所や乗りかご５近傍に携帯通信機器１２との間で無線ＬＡＮ通信を行わせるための無線ＬＡＮアクセスポイント１０を具備させた上、監視装置２０の制御装置２２がネットワークインターフェース２１を介してエレベータ制御装置（エレベータ制御盤１）から乗りかご５の運転状況における非常事態発生時に利用者１１の閉じ込めを認識すると、インターフェース２１を介してエレベータ制御装置（エレベータ制御盤１）経由で無線ＬＡＮアクセスポイント１０を利用して乗りかご５内の掲示部８に無線ＬＡＮ機能をオンにする設定を促す掲示を行わせた後、表示指令部２３に指示してコンテンツ選択部２６で選択したコンテンツに係る記憶装置２４の表示コンテンツテーブル２５にテーブル形式で格納された非常事態対応情報を利用者１１が携帯して使用する携帯通信機器１２の表示部に表示させるため、従来のようにアクセスポイントへの接続やセキュリティ認証、コンテンツサーバへの接続とサービスへのログイン、コンテンツの取得等の手間の掛る手法を用いることなく、簡単な手法で迅速且つ適確に非常事態で乗りかご５内に閉じ込められている利用者１１に対して保守管理業者側での対応状況を示す非常事態対応情報を伝達することができるようになる。また、非常事態対応情報の内容に変更があった場合にも、その変更情報を進捗として逐次伝達することができるため、利用者１１は非常事態対応情報の最新情報を確認することができ、不安を払拭できるようになる。更に、乗りかご５内に無線ＬＡＮアクセスポイント１０を設置した場合には、乗りかご５に閉じ込められた利用者１１の携帯通信機器１２に対してビーコン電波を発信して確実に無線ＬＡＮ通信による電波を届けることが可能となり、係るビーコン電波の発信中にもインターネットへの接続アクセスを提供することが可能となる。
【００２６】
尚、実施例に係るエレベータ用非常事態対応情報提供システムでは、監視装置２０において非常事態対応情報に係るコンテンツ表示を指令する構成を説明したが、非常事態対応情報に係るコンテンツ表示の指令は監視センタ側から行わせることも可能である。この場合、実施例で説明した監視装置２０における表示コンテンツテーブル２５を有する記憶装置２４、コンテンツ選択部２６、及び表示指令部２３の各機能とこれらの各部に対する制御装置２２の動作制御機能とが監視センタ側に持たされ、監視装置２０に具備される制御装置２２については、ネットワークインターフェース２１を介してエレベータ制御装置（エレベータ制御盤１）から乗りかご５の運転状況における非常事態発生時に利用者１１の閉じ込めを認識すると、ネットワークインターフェース２１を介してエレベータ制御装置を経由して無線ＬＡＮアクセスポイント１０を利用して掲示部８に無線ＬＡＮ機能をオンにする掲示の表示を行わせた後、通信手段２７を介して受信した表示指令部２３により指示されてコンテンツ選択部２６で選択されたコンテンツに係る記憶装置２４の表示コンテンツテーブル２５に格納された非常事態対応情報を携帯通信機器１２の表示部に表示させる機能を持つことになり、実施例の場合と同等な動作処理が行われ、同様な作用効果を奏するものとなる。因みに、記憶装置２４の表示コンテンツテーブル２５に格納される表示メッセージは追加することが可能であり、表示コンテンツ種別についても増減させることが可能である。また、利用者１１が携帯して使用する携帯通信機器１２との間で無線ＬＡＮ通信を行わせるための無線ＬＡＮアクセスポイント１０については、エレベータ向けの乗りかご５近傍や昇降路９近傍の所定箇所に設置する専用のものを使用する以外、建物の内外に設置した一般的な製品についても適用することが可能である。このように、本発明のエレベータ用非常事態対応情報提供システムは、様々に変更することが可能であるため、実施例で開示した形態に限定されない。
【符号の説明】
【００２７】
１  エレベータ制御盤
２  電動機
３  釣り合い錘
４  ワイヤロープ
５  乗りかご
８  掲示部
９  昇降路
１０  無線ＬＡＮ（Ｗｉ−Ｆｉ）アクセスポイント
１１  利用者（乗客）
１２  携帯通信機器
２０  監視装置
２１  ネットワークインターフェース
２２  制御装置
２３  表示指令部
２４  記憶装置
２５  表示コンテンツテーブル
２６  コンテンツ選択部
２７  通信手段
【図１】
2016055981.tif 000003
【図２】
2016055981.tif 000004
【図３】
2016055981.tif 000005